(57)【要約】【課題】本発明は、容器本体から飲料が不用意に飲み口支持部が外れる恐れのない飲料容器を提供すること。【解決手段】開口部１２０ａを有する容器本体１２０と、開口部を覆うように配置され、開口部と連通している飲み口部１４０を有すると共に、容器本体と着脱可能な構成となっている蓋部１３０と、を有し、飲み口支持部には、外方に向かって支軸部１６０ａが配置され、支軸部には、利用者が把持するための把持部１７０ａが形成され、把持部は、支軸部に対して回動又は揺動可能に連結され、把持部には、容器本体に対して係止する把持部側係止部１７５ａが形成され、容器本体には、把持部側係止部に対応する容器側係止部１２１が形成され、把持部の回動又は揺動によって把持部側係止部と容器側係止部とを係止させる構成となっている飲料容器１００。【選択図】図２
2006008185.tif 000002
【特許請求の範囲】
【請求項１】
開口部を有する容器本体と、
前記開口部を覆うように配置され、前記開口部と連通している飲み口部を有すると共に、前記容器本体と着脱可能な構成となっている飲み口支持部と、を有する飲料容器であって、
前記飲み口支持部には、支軸部が配置され、
前記支軸部には、利用者が把持するための把持部が形成され、
前記把持部は、前記支軸部に対して回動又は揺動可能に連結され、
前記把持部には、前記容器本体に対して係止する把持部側係止部が形成され、
前記容器本体には、前記把持部側係止部に対応する容器側係止部が形成され、
前記把持部の回動又は揺動によって前記把持部側係止部と前記容器側係止部とを係止させる構成となっていることを特徴とする飲料容器。
【請求項２】
前記支軸部には、前記容器本体の上下方向に沿って支軸側軸手段が形成され、
前記把持部には、前記支軸側軸手段に対応して把持部側軸手段が形成され、
前記把持部は、前記把持部を利用者が把持する把持状態に配置されたときに、前記容器本体から外方に離間した突出形状となり、
前記把持状態の前記把持部の突出形状の外側である把持部外面が、前記把持部の回動又は揺動によって、前記容器本体に対向して配置される構成となっていることを特徴とする請求項１に記載の飲料容器。
【請求項３】
前記把持部側係止部が、前記把持部外面となっており、
前記容器本体に前記把持部外面に対応する容器凹部が形成され、
前記容器側係止部が、前記容器凹部となっていることを特徴とする請求項２に記載の飲料容器。
【請求項４】
前記把持部側係止部は、
前記把持状態において前記把持部の前記容器本体側である把持部内側に形成される内側把持部係止部と、
前記把持状態において前記把持部の把持部外側に形成される外側把持部係止部と、を有することを特徴とする請求項２又は請求項３に記載の飲料容器。
【請求項５】
前記把持部側係止部は、前記把持部が前記支軸部に連結される連結部の近傍に配置され、
前記容器側係止部は、前記容器本体の前記開口部の近傍に配置されることを特徴とする請求項１乃至請求項４のいずれかに記載の飲料容器。
【請求項６】
前記支軸側軸手段及び前記把持部側軸手段は、前記支軸部の前記容器本体の上下方向に交差する方向に沿って、それぞれ対応して配置され、
前記把持部が前記容器本体側に対して、その対向面を維持しつつ、離間方向又は近接方向に移動可能な構成となっていることを特徴とする請求項１又は請求項５に記載の飲料容器。
【請求項７】
前記支軸側軸手段及び前記把持部側軸手段は、前記支軸部の前記容器本体の上下方向に交差する方向に沿って、それぞれ対応して配置され、
前記把持部が前記把持部側軸手段を中心として、前記容器本体側に沿う方向に回動又は揺動すると共に、前記把持部の回動又は揺動によって前記把持部側係止部と前記容器側係止部とを係止させる構成となっていることを特徴とする請求項１又は請求項５に記載の飲料容器。
【発明の詳細な説明】
【技術分野】
【０００１】
本発明は、ミルク等の飲料を収容する飲料容器に関するものである。
【背景技術】
【０００２】
従来より、例えば乳幼児等がミルクや麦茶等のお茶類、ジュース等の飲料を飲む哺乳器水筒、飲料カップ等の飲料容器として、取っ手付きの飲料容器が使用されている。このような飲料容器は、飲料を収容する容器本体に対して飲み口が付いた蓋体がネジ嵌合等されているため、使用者はネジを緩め又は締めることで容易に蓋体を容器本体から外し又は装着することができる構成となっている（例えば、特許文献１）。
【０００３】
【特許文献１】特開２００１−２７８２８３号公報（図２等）
【発明の開示】
【発明が解決しようとする課題】
【０００４】
しかしながら、従来の飲料容器は、容器本体と蓋体をネジ嵌合等しているため、使用者が飲料容器を携帯しているときや、飲用のため使用しているときに、ネジ嵌合が緩む等して、容器本体内に収容されている飲料が、容器本体と蓋体との間から漏れ出してしまうおそれがあるという問題があった。
【０００５】
そこで、容器本体から不用意に飲み口支持部が外れる恐れのない飲料容器を提供することを目的とする。
【課題を解決するための手段】
【０００６】
前記課題は、請求項１の発明によれば、開口部を有する容器本体と、前記開口部を覆うように配置され、前記開口部と連通している飲み口部を有すると共に、前記容器本体と着脱可能な構成となっている飲み口支持部と、を有する飲料容器であって、前記飲み口支持部には、支軸部が配置され、前記支軸部には、利用者が把持するための把持部が形成され、前記把持部は、前記支軸部に対して回動又は揺動可能に連結され、前記把持部には、前記容器本体に対して係止する把持部側係止部が形成され、前記容器本体には、前記把持部側係止部に対応する容器側係止部が形成され、前記把持部の回動又は揺動によって前記把持部側係止部と前記容器側係止部とを係止させる構成となっていることを特徴とする飲料容器により達成される。
【０００７】
請求項１の構成によれば、把持部の回動又は揺動によって把持部側係止部と容器側係止部とを係止させる構成となっている。すなわち、把持部を回動等させて、把持部側係止部を容器側係止部とを係止させると、把持部は容器本体によって、その動きを規制される。
また、把持部は支軸部を介して飲み口支持部に接続されているので、飲み口支持部と容器本体の相対的な動きが規制される。
したがって、利用者が飲料容器を携帯している場合に、飲料容器の飲み口支持部が容器本体に対して動くことを未然に防止することができる。
このため、容器本体内に収容された飲料が容器本体と飲み口支持部との連結部から不用意に漏れ出すことを防止することができる。
【０００８】
好ましくは、請求項２の発明によれば、請求項１の構成において、前記支軸部には、前記容器本体の上下方向に沿って支軸側軸手段が形成され、前記把持部には、前記支軸側軸手段に対応して把持部側軸手段が形成され、前記把持部は、前記把持部を利用者が把持する把持状態に配置されたときに、前記容器本体から外方に離間した突出形状となり、前記把持状態の前記把持部の突出形状の外側である把持部外面が、前記把持部の回動又は揺動によって、前記容器本体に対向して配置される構成となっていることを特徴とする飲料容器である。
【０００９】
請求項２の構成によれば、把持部は、把持状態に配置されたときに、容器本体から外方に離間した突出形状となっているので、乳幼児等の利用者が飲料容器を持つために把持部を把持するときに、把持し易い形状となっている。
また、前記把持状態の前記把持部の突出形状の外側である把持部外面が、前記把持部の回動又は揺動によって、前記容器本体に対向して配置される構成となっている。
このため、把持状態で外方に突出している把持部の突出形状を容器本体側に配置させることができるので、把持部を突出させることなくコンパクトに配置することができる。
すなわち、利用者が飲料容器を携帯等するときは、把持部を回動等させ、把持部外面を容器本体に対向するように配置することで、把持部は、容器本体の外方に突出することなく、利用者の邪魔になることがなく、しかも容器本体に対して飲み口支持部が一体となる。したがって、利用者が携帯し易く、不用意に飲み口支持部が外れない飲料容器となる。
【００１０】
好ましくは、請求項３の発明によれば、請求項２の構成において、前記把持部側係止部が、前記把持部外面となっており、前記容器本体に前記把持部外面に対応する容器凹部が形成され、前記容器側係止部が、前記容器凹部となっていることを特徴とする飲料容器である。
【００１１】
請求項３の構成によれば、把持部側係止部が把持部外面となっており、容器側係止部が容器本体に形成された容器凹部となっている。
このため、把持部の回動等によって把持部の把持部外面を容器凹部内に収容させることで、把持部は容器本体の容器凹部に入り込むため、飲み口支持部が容器本体から外れることを防ぐ。しかも、使用状態において外方に突出した把持部が、容器凹部に収容されるため、よりコンパクトにして携帯等することができる。
【００１２】
好ましくは、請求項４の発明によれば、請求項２又は請求項３の構成において、前記把持部側係止部は、前記把持状態において前記把持部の前記容器本体側である把持部内側に形成される内側把持部係止部と、前記把持状態において前記把持部の把持部外側に形成される外側把持部係止部と、を有することを特徴とする飲料容器である。
【００１３】
請求項４の構成によれば、把持部側係止部は、把持状態において把持部の容器本体側である把持部内側に形成される内側把持部係止部と、把持状態において把持部の把持部外側に形成される外側把持部係止部と、を有している。
このため、把持部が把持状態に配置されているときは、内側把持部係止部が容器本体の容器側係止部に対して係止されることで、容器本体に対する飲み口支持部の動きが規制されて、飲用中に不用意に外れてしまうことを防止する。
一方、把持部が回動等され、把持部の把持部外面が容器本体に対向して配置されるとき、すなわち、収納状態では、外側把持部係止部が容器側係止部に対して係止されることで、容器本体に対する飲み口支持部の動きが規制され、携帯等で外れることを防止する。
つまり、把持部が収納状態のみならず把持状態であっても、把持部の動きを規制することで飲み口支持部の容器本体に対する動きを規制することができるので、容器本体と飲み口支持部とが不要に外れてしまうことを防止することができる。
具体的には、乳幼児等が利用者が飲料容器で飲料を飲む、飲用時であっても飲み口支持部と容器本体との嵌合等が緩むことを防止するので、飲用時における飲料の漏れも有効に防止することができる。
【００１４】
好ましくは、請求項５の発明によれば、請求項１乃至請求項４のいずれかの構成において、前記把持部側係止部は、前記把持部が前記支軸部に連結される連結部の近傍に配置され、前記容器側係止部は、前記容器本体の前記開口部の近傍に配置されることを特徴とする飲料容器である。
【００１５】
請求項５の構成によれば、把持部側係止部は、把持部が支軸部に連結される連結部の近傍に配置され、容器側係止部は、容器本体の開口部の近傍に配置されている。
このため、把持部側係止部は容器側係止部と把持部の支軸部側の付け根の近傍で係止されるので、把持部の支軸部側と反対側に相当する先端部側を利用者が把持して操作すると梃子（テコ）の原理により、強固に係止させることができる。したがって、容器本体内の飲料の漏れを確実に防止することができる。
【００１６】
好ましくは、請求項６の発明によれば、請求項１又は請求項５の構成において、前記支軸側軸手段及び前記把持部側軸手段は、前記支軸部の前記容器本体の上下方向に交差する方向に沿って、それぞれ対応して配置され、前記把持部が前記容器本体側に対して、その対向面を維持しつつ、離間方向又は近接方向に移動可能な構成となっていることを特徴とする飲料容器である。
【００１７】
請求項６の構成によれば、支軸側軸手段及び把持部側軸手段は、支軸部の容器本体の上下方向に交差する方向に沿って、それぞれ対応して配置され、把持部が容器本体側に対して、その対向面を維持しつつ、離間方向又は近接方向に移動可能な構成となっている。
このため、把持部は、把持状態における位置から、母親等の介助者等の使用者が把持部を操作することによって、容器本体から離間する方向に移動することができる構成となっている。
したがって、使用者は、把持部側係止部と容器側係止部との係止又は係止解除の動作を行い易い構成となっている。
【００１８】
好ましくは、請求項７の発明によれば、請求項１又は請求項５の構成において、前記支軸側軸手段及び前記把持部側軸手段は、前記支軸部の前記容器本体の上下方向に交差する方向に沿って、それぞれ対応して配置され、前記把持部が前記把持部側軸手段を中心として、前記容器本体側に沿う方向に回動又は揺動すると共に、前記把持部の回動又は揺動によって前記把持部側係止部と前記容器側係止部とを係止させる構成となっていることを特徴とする飲料容器である。
【００１９】
請求項７の構成によれば、支軸側軸手段及び把持部側軸手段は、支軸部の容器本体の上下方向に交差する方向に沿って、それぞれ対応して配置され、把持部が把持部側軸手段を中心として、容器本体側に沿う方向に回動又は揺動すると共に、把持部の回動又は揺動によって把持部側係止部と容器側係止部とを係止させる構成となっている。
このため、利用者は把持部を容器本体に沿って移動させることで、把持部側係止部と容器側係止部との係止又は係止解除の動作を行うことができるので、より操作し易い構成となっている。
【発明の効果】
【００２０】
本発明は、容器本体から不用意に飲み口支持部が外れる恐れのない飲料容器を提供するという利点がある。
【発明を実施するための最良の形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
（第１の実施の形態）
（飲料容器１００の全体構成等について）
図１は、本発明の第１の実施の形態に係る飲料容器１００の主な構成を示す概略図である。
図に示すように、飲料容器１００は、飲料である例えば、ミルク等を収容する容器本体である例えば、ボトル１２０を有している。ボトル１２０の図において上部側には、ボトル１２０内にミルク等を入れるための開口部である例えば、ボトル開口１２０ａを有している。
また、ボトル１２０の図において上部側には、ボトル開口１２０ａを覆うように飲み口支持部である例えば、蓋部１３０が配置されている。
蓋部１３０は、飲み口部である例えば、ストロー１４０を支持するためのストロー支持部１５０を有している。ストロー支持部１５０によって支持されているストロー１４０は、ボトル１２０のボトル開口１２０ａと連通しているため、利用者がボトル１２０内に収容されるミルク等を吸引可能と成っている。
また、ストロー支持部１５０にはフード１１０が設けられ、フード１１０の移動によってストロー１４０がフード１１０内に格納され、又は開放される構成となっている。
なお、図１は、ストロー１４０がフード１１０に覆われていない状態を示す。
【００２３】
また、蓋部１３０は、ボトル１２０に対して着脱可能な構成となっている。すなわち、蓋部１３０下端の内周とボトル１２０のボトル開口１２０ａの外周とは、ネジ嵌合（螺合）が可能なようにネジが設けられている（図示せず）。
蓋部１３０には、外方に向かって、すなわち、図において横方向に向かって突出するように支軸部１６０ａ、１６０ｂが形成されている。支軸部１３０には、利用者である例えば、乳幼児等が把持するための把持部である例えば、取っ手１７０ａ、１７０ｂが図１に示すように配置されている。
取っ手１７０ａ等は、支軸部１６０ａ等に対して回動又は揺動可能に連結されている。本実施の形態では、取っ手１７０ａ等は、図１の矢印Ｒの方向に回動可能に構成されている。つまり、載置面に対する垂線を中心軸とする方向Ｒへの回転が可能とされている。
【００２４】
（取っ手１７０ａ等について）
図２は、取っ手の収納状態を示す概略図である。図２は、取っ手１７０ａ等を図１の状態から１８０°（度）、矢印Ｒ方向に回転した状態を示す概略図である。
すなわち、図１は、乳幼児等が飲料容器１００からミルク等を飲む際、乳幼児等が把持し易いように取っ手１７０ａ等を配置した把持状態（飲用状態）を示す。このとき取っ手１７０ａ等は、図１に示すようにボトル１２０から外方（図１の横方向）に離間した突出形状となっている。すなわち、取っ手１７０ａ等は、外方に突出する湾曲形状となっている。
そして、取っ手１７０ａ等は、把持状態の突出形状の外側である把持部外面である例えば、取っ手外面１７５ａ、１７５ｂを図１に示すように有している。
このような取っ手１７０ａ等を１８０°回転させ、図２に示す収納状態に配置すると、取っ手１７０ａ等の取っ手外面１７５ａ等がボトル１２０の表面に対向して配置される。
【００２５】
図２に収納状態は、例えば、乳幼児等の保護者が飲料容器１００を携帯しバッグ内に配置する状態である。このとき、取っ手１７０ａ等は、把持する必要がないため、取っ手１７０ａ等を図２に示すように収納（格納）状態とする。
これにより、バッグ内で飲料容器１００の取っ手１７０ａ等がボトル１２０から突出して邪魔になることがないので、持ち運び易い飲料容器１００となる。
【００２６】
（ボトル１２０について）
図２に示すように、ボトル１２０には、取っ手１７０ａ等の取っ手外面１７５ａ等に対応する部分に容器凹部である例えば、ボトル凹部１２１が形成されている。
このため、取っ手１７０ａ等の取っ手外面１７５ａ等がボトル凹部１２１内に収容され、係止される。そして、取っ手１７５ａ等の係合によって、ボトル１２０から蓋部１３０が外れなくなる。
すなわち、取っ手外面１７５ａ等は、把持部側係止部の一例となっており、ボトル凹部１２１は、容器側係止部の一例となっている。
そして、取っ手１７０ａ等の回転等によって、取っ手１７０ａ等が図２の収納状態に位置すると、取っ手外面１７５ａ等とボトル凹部１２１とが図において上下方向に対する係止状態となり、ボトル１２０がボトル１２０に対して係止される構成となっている。
【００２７】
したがって、本実施の形態によれば、母親等の介助者等が、飲料容器１００を携帯する際は、取っ手１７０ａ等を回転させ、図２に示す収納状態に配置し、取っ手外面１７５ａ等をボトル凹部１２１内に配置させると、ボトル１２０に対する蓋部１３０の動きが規制される。
すなわち、図２に示す矢印Ｕの方向、すなわち蓋部１３０がボトル１２０から離間する方向に対して規制される。このため、蓋部１３０とボトル１２０とのネジ嵌合（螺合）状態が緩むことを未然に防止することができるので、ネジ嵌合状態が緩んでボトル１２０内のミルク等が携帯時に漏れ出すことを防ぐことができる。
【００２８】
また、本実施の形態と異なり、ボトル１２０のボトル凹部１２１に取っ手外面１７５ａ等の突出形状に対応した窪みを形成し、この窪みに取っ手１７０ａ等の取っ手外面１７５ａ等をはめ込むように配置する構成にしてもよい。
この場合は、取っ手１７０ａ等が不用意に外れてしまい、更にボトル１２０と蓋部１３０の嵌合が緩むという事態を防ぎ、取っ手１７０ａ等の回動等の動きをより強力に規制することができるので、より確実にボトル１２０内のミルクの漏れ出しを未然に防止することができる。つまり、把持部側係止部である取っ手外面１７５ａ等と、容器側係止部であるボトル凹部１２１の係止を規制する、係止規制手段を有するよう構成してもよい。
【００２９】
（取っ手１７０ａ等と支軸部１６０ａ等との関係等について）
取っ手１７０ａ等は、図１に示すように、取っ手本体１７１ａ等と取っ手装着部１７２ａ等と有している。なお、上述の取っ手外面１７５ａ等は、取っ手本体１７１ａ等に配置されている。
図３は、図２の矢印Ａ部の概略拡大断面図である。なお、取っ手１７０ａ等及び支軸部１６０ａ等はボトル１２０の両側に２個配置されているが、同一の構成であるため、以下、いずれか一方のみについて説明し、他方の説明は省略する。
【００３０】
図３に示すように、支軸部１６０ｂの下側、すなわち、支軸部１６０ｂの図２のボトル１２０の高さ方向における下方側には、装着部配置面１６１ｂが形成されている。
この装着部配置面１６１ｂには、図３に示すように取っ手装着部１７２ｂが配置される構成となっている。
また、取っ手装着部１７２ｂには、把持部側軸手段である例えば、装着側係止凸部１７３ｂが形成されている。装着側係止凸部１７３ｂの先端は、図３に示すように略台形の突出部が形成されている。また、装着側係止凸部１７３ｂの中央部には撓み用の空間Ｂが形成された、所謂割ピン構造とされている。
一方、支軸部１６０ｂには、図３に示すように装着側係止凸部１７３ｂを挿入するための開口が形成されており、この開口部が支軸側軸手段とされている。この開口部には、装着側係止凸部１７３ｂ先端の突出部に対応して、これと係止される支軸側係止凹部１６２ｂが形成されている。
すなわち、支軸部１６０ｂの開口部や支軸側係止凹部１６２ｂは、ボトル１２０の上下方向に沿って形成され、装着側係止凸部１７３ｂは、支軸部１６０ｂの開口部や支軸側係止凹部１６２ｂに対応して配置されている。
【００３１】
装着側係止凸部１７３ｂは、支軸部１６０ｂの開口部に挿入される際、中央部の空間Ｂ側へ撓むことで無理なく挿入できる構成となっている。
また、支軸部１６０ｂの開口部に挿入された装着側係止凸部１７３ｂは、支軸側係止凹部１６２ｂと係止される構成となっている。
また、図３に示すように、支軸部１６０ｂの開口部であって、装着された取っ手装着部１７２ｂにおける中央部の空間Ｂ内には、装着側係止凸部１７３ｂの先端部と支軸側係止凹部１６２ｂとの係合を支軸部１６０ｂの上方（上面）側から固定するための固定ピン１８０が配置されている。
すなわち、支軸側係止凹部１６２ｂに対して係止されている装着側係止凸部１７３ｂは、図３の空間Ｂ側へ撓む構成となっているため、使用時の捻れ等に伴い、この撓みにより両者の係止が解除され、取っ手１７０ｂが、支軸部１６０ｂから外れるおそれがある。
そこで、装着側係止凸部１７３ｂの撓みを規制して、確実に固定するため、図３に示すように固定ピン１８０を配置する構成となっている。
【００３２】
したがって、支軸部１６０ｂへ係止された装着側係止凸部１７３ｂは、支軸部１６０ｂの下側（装着部配置面１６１ｂ側）と上側（固定ピン１８０挿入側）の双方から固定されるため、支軸部１６０ｂから脱落等し難い構成となっている。つまり、これにより取っ手１７０ｂも支軸部１６０ｂから外れ難い構成となっている。
【００３３】
図４は、支軸部１６０ｂと取っ手装着部１７２ｂ等の関係を示す概略斜視図である。図４に示すように、取っ手装着部１７２ｂには、図３に示した装着側係止凸部１７３ｂを支持する係止凸部支持部１７４ｂが設けられている。
また、この係止凸部支持部１７４ｂの根本側には、取っ手装着部１７２ｂの表面に載置されるように２つの取っ手側位置決め片１７６ｂ、１７６ｂが形成されている。
【００３４】
一方、支軸部１６０ｂには、図４に示すように、支軸部１６０ｂの下面である装着部配置面１６１ｂ側に、凹状の回動溝１６３ｂが形成されている。すなわち、取っ手装着部１７２ｂの装着側係止凸部１７３ｂの先端部を支軸部１６０ｂの空間Ｂ内に挿入し、装着側係止凸部１７３ｂの先端部が、図３に示すように支軸部１６０ｂの支軸側係止凹部１６２ｂと係止されたときに、図４に示す取っ手側位置決め片１７６ｂ、１７６ｂが、回動溝１６３ｂの内周面に沿って移動可能な構成となっている。
また、この回動溝１６３ｂには、図４に示すように、２カ所の支軸側位置決め凹部１６４ｂ、１６４ｂが形成されている。
このため、回動溝１６３ｂを移動している２つの取っ手側位置決め片１７６ｂ、１７６ｂを、２カ所の支軸側位置決め凹部１６４ｂ、１６４ｂ内に配置することで、その移動が規制され、位置決めされる構成となっている。
【００３５】
また、このように位置決めされた位置から、１８０°回動させることで再び位置決めされる構成となっている。すなわち、図４に示す取っ手側位置決め片１７６ｂ、１７６ｂは、回動溝１６３ｂ内を一周（３６０°）する間に２回、位置決めされる。そして、この位置決めの一方が、図２に示す取っ手本体１７１ｂ等の収納状態の位置であり、他方が図１に示す、取っ手本体１７１ｂ等の把持状態の位置となる。
このように、図４の構成によれば、取っ手本体１７１ａ等の位置を把持状態又は収納状態に正確に位置決めでき、利用者は、取っ手１７０ａ等を回動させる際、確実に把持状態又は収納状態に配置されたか否かを把握できる構成となっている。
【００３６】
また、２つの支軸側位置決め凹部１６４ｂ、１６４ｂは、その両側に図４に示すように、突起部１６４ｂｂがそれぞれ形成されているため、取っ手側位置決め片１７６ｂが支軸側位置決め凹部１６４ｂ内に入り込むときは必ず、この突起部１６２ｂｂを乗り越える構成となっている。
そして、取っ手側位置決め片１７６ｂが突起部１６４ｂｂを乗り越える際、利用者はその動き（クリック感）を察知することができるので、この突起部１６４ｂｂの乗り越えは、利用者に位置決めされたことを報知する手段とともなっている。しかも、突起部１６４ｂｂを乗り越える際のカチッという音によっても位置決めされたことを認識できる。
しかも、このように取っ手側位置決め片１７６ｂが、突起部１６４ｂｂを乗り越えて位置決め凹部１６４ｂに収容される構造とされているため、これらの各位置決め手段によって取っ手外面１７５ａ等と、ボトル凹部１２１の係止を規制することができる。
なお、取っ手側位置決め片１７６ｂと、支軸側位置決め凹部１６４ｂ及び突起部との関係は、取っ手１７１ｂ側と支軸部１６０ｂとの関係を入れ替えて配置してもよく、更に、これらの各位置決め手段を設ける数は、各２つに限らず任意の数とすることができる。また、例えば、取っ手側位置決め片１７６ｂは１箇所のみとしてもよく、その場合、収容状態において取っ手側位置決め片１７６ｂが収容される支軸側位置決め凹部１６４ｂ側の突起部１６４ｂｂ，１６４ｂｂの高さを、飲用状態側よりも若干低くして、収納状態からの回動を行いやすいよう構成し、飲用状態にセットした際のクリック感が高くなるよう形成してもよい。
【００３７】
（第２の実施の形態）
図５（ａ）は、本発明の第２の実施の形態にかかる飲料容器２００の主な構成を示す概略図であり、図５（ｂ）は、図５（ａ）の部分拡大説明図である。
本実施の形態の構成の多くは第１の実施の形態と共通するため、共通の構成は同一符号等として、その説明を省略し、以下相違点を中心に説明する。また、図５（ａ）（ｂ）は取っ手２７０ａ等の一方側のみを示したが、他方側にも取っ手が同様に配置されている。他方側の取っ手の構成は、図５（ａ）の取っ手２７０ａと同様な構成であるため、その説明を省略する。
【００３８】
図５（ａ）に示すように、本実施の形態では、取っ手２７０ａ等を乳幼児等が把持する把持状態で、取っ手２７０ａ等の外側に外側把持部係止部である例えば、外面側取っ手凸部２７５ａ等が形成されている。
また、把持状態で、取っ手２７０ａ等のコップ状の形状とされたボトル２２０側である取っ手１７０ａ等の内側には内側把持部係止部である例えば、内面側取っ手凸部２７６ａが形成されている。これらの各取っ手凸部２７５ａ，２７６ａは、支軸部２６０ａと取っ手２７０ａの連結部近傍に位置するよう配置されている。
図５（ａ）では、取っ手２７０ａが把持状態に配置されている。すなわち、乳幼児等が取っ手２７０ａを把持し易い状態に配置されている。
このとき、取っ手２７０ａの内面側取っ手凸部２７６ａは、ボトル２２０の図示しない開口部近傍に配置された容器側係止部として機能するボトル凸部２２１と係止され、蓋部２３０とボトル２２０とのネジ嵌合が緩まないように成っている。このため、乳幼児等が飲料容器２００内のミルク等を飲むとき、蓋部２３０とボトル２２０との嵌合が不用意に外れてしまうことを防ぐことができる。
【００３９】
一方、ボトル２２０は直線によるコップ状の側壁面とされているが、支軸部２６０ａの下面側がボトル２２０から離間する方向に傾斜しており、取っ手２７０ａ等を１８０°（度）回転させ、取っ手２７０ａの突出した湾曲部外面をボトル２２０側に近接するように配置したときは、図５（ａ）の取っ手２７０ａの外面側取っ手凸部２７５ａがボトル凸部２２１と係止する。
このため、飲料容器２００を携帯するため、取っ手２７０ａを収納状態とした場合でも、蓋部２３０は、取っ手２７０ａを介してボトル２２０と確実に係止され、蓋部２３０の移動が規制されるので、ボトル２２０から蓋部２３０が不用意に外れてしまうことを確実に防ぐことができる。このように、蓋部２３０がボトル２２０から外れないよう、ボトル凸部２２１が各取っ手凸部２７５ａ，２７６ａに対して取り外し方向側に配置されて、各係止部が係止するよう構成されている。
【００４０】
図５（ｂ）に示すように、外面側取っ手凸部２７５ａと内面側取っ手凸部２７６ａとは、１８０°（度）の間隔を保持して配置されている。このため、外面側取っ手凸部２７５ａと内面側取っ手凸部２７６ａが、それぞれボトル凸部２２１との係止位置に配置されない場合は、フリーの状態となる。したがって、保護者等は、このフリー状態に位置するように取っ手２７０ａを回転させることで、簡単に蓋部２３０をボトル２２０から取り外すことができる。つまり、本実施の形態においては、飲用状態及び収納状態においてのみ、蓋部２３０がボトル２２０から外れない方向に規制されるよう構成されている。
【００４１】
（第３の実施の形態）
図６（ａ）は、本発明の第３の実施の形態に係る飲料容器３００の主な構成を示す概略図であり、図６（ｂ）は、図６（ａ）のＡ−Ａ’線概略部分拡大断面図である。
本実施の形態の構成の多くは、第１の実施の形態と共通するため、共通する構成は同一符号等とし、その説明を省略し、以下相違点を中心に説明する。
図６（ａ）（ｂ）は取っ手３７０ａの一方側のみを示したが、他方側にも取っ手が同様に配置されている。他方側の取っ手の構成は、図６（ａ）の取っ手３７０ａと同様な構成であるため、その説明を省略する。
【００４２】
図６（ａ）（ｂ）に示すように、本実施の形態では、支軸部３６０ａのボトル３２０の図において上下方向に交差する方向、例えば、上下方向に略直交する方向であって、利用者に向かう方向に連結軸３０１が形成されている。また、連結軸３０１を受けるための取っ手側軸受け部３７１ａが図６（ｂ）に示すように取っ手３７０ａに形成されている。したがって、取っ手側軸受け部３７１ａは、把持部側軸手段の一例となっている。
また、連結軸３０１を受けるための支軸側軸受け部３６１ａが、図６（ｂ）に示すように、支持部３６０ａに形成されている。したがって、取っ手側軸受け部３７１ａ及び支軸側軸受け部３６１ａも支軸部３６０ａのボトル３２０の上下方向に略直交する方向（利用者に向かう方向）に形成されている。
そして、連結軸３０１は、図６に示すように装着されると取っ手側軸受け部３７１ａに対して固定されて取っ手３７０ａとボトル３２０を係合するる構成となっている。
また、図６（ａ）に示すように、連結軸３０１には、凸状の軸凸部３０１ａが形成されている。そして、支軸側軸受け部３６１ａには、図６（ａ）に示すように軸受け凹部３６１ａａが形成されている。
【００４３】
このため、保護者等が飲料容器３００の取っ手３７０ａを把持して図６（ａ）の矢印Ｙの方向（ボトル３２０から離間する方向）に持ち上げると取っ手３７０ａは連結軸３０１を中心に、連結軸３０１と共に揺動する構成となっている。そして、この取っ手３７０ａの上方向の移動は、連結軸３０１の軸凸部３０１ａが、支軸部３６０ａの軸受け凹部３６１ａａと当接することで規制される構成となっている。
このため、取っ手３７０ａが必要以上に上方に移動しない構成となっている。
【００４４】
そして、取っ手３７０ａが矢印Ｙ方向に揺動する際、取っ手３７０ａはボトル３２０に対して、その向きを変更することなく揺動する構成となっている。すなわち、取っ手３７０ａは、ボトル３２０に対して、その対向面を維持しつつ、離間方向又は近接方向に移動可能な構成となっている。
【００４５】
また、図６（ａ）に示すように、取っ手３７０ａには、取っ手３７０ａの連結軸３０１近傍に把持部側係止部である例えば、取っ手側凸部３７６ａが形成されている。そして、ボトル３２０には、ボトル３２０のボトル開口３２０ａの近傍に容器側係止部である例えば、ボトル凸部３２１が形成されている。
また、ボトル凸部３２１には、凸状の係合凸部３２１ａが形成され、取っ手側凸部３７６ａには、係合凸部３２１ａに対応した係合凹部３７６ａａが形成されている。
したがって、取っ手３７０ａがボトル３２０に近接方向に移動することで、取っ手側凸部３７６ａとボトル凸部３２１が図６（ａ）に示すように係止される構成となっている。
このように係止されると、蓋部３３０は、取っ手３７０ａを介してボトル３２０に対して係止され、ボトル３２０から蓋部３３０が離間する動きが規制されることになる。
また、このとき係合凸部３２１ａと係合凹部３７６ａａも係合されるため、より強固に取っ手３７０ａがボトル３２０に対して係止されることになる。
なお、本実施の形態においては、ボトル３２０に対して蓋部３３０はネジ嵌合による螺合ではなく、ボトル凸部３２１や取っ手側凸部３７６ａ等からなる各係止部による係止によって固定されるよう構成されている。つまり、図６（ａ）に示されるように、蓋部３３０の内側には、弾性体よりなるパッキン３８０が設けられて、ボトル３２０の開口部３２０ａの上端がパッキン３８０に当接して密閉されるよう構成されており、ボトル凸部３２１や取っ手側凸部３７６ａ等の係止によって密閉が保たれており、容易に蓋部３３０を着脱可能としている。
したがって、蓋部３３０の着脱が容易でありながら、飲料容器３００を携帯している際等に、蓋部３３０が動き、ボトル３２０との装着が外れ、ミルク等がボトル３２０から漏れ出すことを未然に防ぐことができる。
【００４６】
また、取っ手側凸部３７６ａとボトル凸部３２１との係止は、支軸部３６０ａの付け根の近傍で行われるので、取っ手３７０ａの支軸部３６０ａと反対側、すなわち、取っ手３７０ａの先端部側を保護者等が把持して、取っ手３７０ａを操作すると梃子（テコ）の原理により、両者の係止をより強固にすることができる。
したがって、本実施の形態では、取っ手３７０ａとボトル３２０の嵌合が不用意に外れてしまうことを確実に防止することができる。
また、本実施の形態では、取っ手３７０ａの矢印Ｙ方向の揺動に際し、取っ手３７０ａのボトル３２０に対する対向面が変化しないので、保護者等の利用者は、取っ手側凸部３７６ａとボトル凸部３２１との係止又は係止解除の動作が行い易い構成となっている。
なお、ボトル３２０に対する蓋部３３０の装着を確実とするために、取っ手３７０ａの移動に伴う係合凸部３２１ａと係合凹部３７６ａａとの係合だけでなく、更に取っ手３７０ａの揺動を規制する係合規制手段を設けてもよい。
【００４７】
（第４の実施の形態）
図７は、本発明の第４の実施の形態に係る飲料容器４００を示す概略図である。本実施の形態の多くの構成は他の実施の形態と共通するため、共通する構成は、同一符号等として説明を省略し、以下相違点を中心に説明する。
本実施の形態は、キャップ４０２ａを介して人工乳首４０２を配置できる蓋部４３０を有し、この蓋部４３０は、ボトル４２１とネジ嵌合等で着脱可能に配置されている。
蓋部４３０は、支軸部４６０ａを有し、支軸部４６０ａのボトル４２０の上下方向に交差する方向、例えば、略直交する方向（利用者に向かう方向）に沿って連結軸４０１が設けられている。
支軸部４６０ａには、連結軸４０１を受ける支軸側軸受け部（図示せず）が形成され、取っ手４７０ａにも、連結軸４０１を受ける取っ手側軸受け部４７１ａが形成されている。そして、連結軸４０１は、取っ手側軸受け部４７１ａに固定されている。
【００４８】
また、取っ手４７０ａ、４７０ｂの先端側は、図７に示すように取っ手側凸部４７６ａ、４７６ｂとされている。取っ手４７０ａ、４７０ｂは、ボトル４２０の両側に２つ形成されているが、両者は同一の構成なので、以下、取っ手４７０ａを例に説明し、取っ手４７０ｂ側の説明を省略する。
図７に示すように、取っ手側凸部４７６ａに対応して、ボトル４２０には、ボトル側窪み４２１が形成されている。
したがって、取っ手４７０ａは、利用者が把持して矢印Ｓの方向に揺動させることで、連結軸４０１を中心に、ボトル４２０から離間方向又は近接方向に移動させられる構成となっている。
また、図７に示すように、取っ手４７０ａの連結軸４０１の近傍には、当接面４７０ａａが形成されている。このため、取っ手４７０ａを矢印Ｓに沿って上方向に移動させた場合、この当接面４７０ａａが蓋部４３０に当接するまで持ち上げると、取っ手４７０ａの移動が規制される構成となっている。
【００４９】
また、逆に取っ手４７０ａをボトル４２０に近接方向に移動させ、取っ手４７０ａの取っ手側凸部４７６ａが、ボトル４２０のボトル側窪み４２１に収容されると、取っ手４７０ａは、ボトル４２０に係止され、その動きを規制される構成となっている。
つまり、本実施の形態においては、蓋部４３０がボトル４２０から外れる方向への移動を規制するだけでなく、ネジ嵌合とされた蓋部４３０がボトル４２０から外れる方向に回転する動きも規制可能とされており、取っ手４７０ａと接続されている蓋部４３０の動きが規制され、ボトル４３０内のミルク等が漏れるのを防止する構成となっている。
なお、本実施の形態では、支軸部４６０ａが蓋部４３０から外方に向かって突出するよう構成しているが、蓋部４３０に取っ手側軸受け部４７１ａを収容可能で、回動軸を設けた凹部を形成するよう構成してもよい。
また、ボトル側窪み４２１をボトル４２０に直接形成せず、取っ手側凸部４７６ａに対応した窪みを設けた別部材をボトル４２０に装着するよう構成してもよい。
【００５０】
（第５の実施の形態）
図８（ａ）は、本発明の第５の実施の形態に係る飲料容器５００を示す概略図であり、図８（ｂ）は、図８（ａ）のＢ−Ｂ’線概略部分拡大断面図である。本実施の形態の多くの構成は他の実施の形態と共通するため、共通する構成は、同一符号等として説明を省略し、以下相違点を中心に説明する。
図８（ａ）に示すように、飲料容器５００はボトル５２０の両側に２つの取っ手５７０ａ、５７０ｂを有している。２つの取っ手５７０ａ、５７０ｂは、同一の構成と成っているため、以下取っ手５７０ａ側についてのみ説明し、取っ手５７０ｂの説明は省略する。
【００５１】
図８（ｂ）に示すように、蓋部５３０には、ボトル５２０の上下方向に交差する方向、例えば略直交する方向であって、ボトル５２０から離間する方向に沿って、連結軸５０１が配置されている。そして、蓋部５３０には、連結部５０１を受けるための支軸側軸受け部５６１ａが形成されている。
取っ手５７０ａは、連結軸５０１を介して蓋部５３０と接続される構成となっている。このため、取っ手５７０ａには、連結軸５０１を受けるための開口である取っ手側軸受け部５７１ａを有している。
【００５２】
したがって、支軸側軸受け部５６１ａが支軸側軸手段の一例であり、取っ手側軸受け部５７１ａが把持部側軸手段の一例である。また、蓋部５３０は支軸部の構成を有し、支軸部の一例となっている。
そして、取っ手５７０ａが取っ手側軸受け部５７１ａ及び取っ手側軸受け部５７１ａと接続されている連結軸５０１を中心として、ボトル５２０に沿う方向（利用者に近接又は離間する方向）に揺動する構成となっている。すなわち、図８（ａ）の矢印Ｑの方向に沿って、取っ手５７０ａが揺動されることになる。
また、図８（ａ）に示すように、取っ手５７０ａの先端側は把持部側係止部である例えば、取っ手側凸部５７６ａとされている。
そして、ボトル５２０の取っ手側凸部５７６ａに対応する部分には、容器側係止部である例えば、ボトル側窪み５２１が形成されている。
したがって、取っ手５７０ａの揺動により、外方に突出する湾曲形状とされた取っ手５７０ａが撓みながら、取っ手側凸部５７６ａがボトル側窪み５２１内に収容されると、取っ手５７０ａの撓みがなくなり、取っ手５７０ａがボトル５２０に容器って係止され、取っ手５７０ａの揺動する動きが規制される構成となっている。
【００５３】
このように、取っ手５７０ａの動きが規制されることで、取っ手５７０ａに接続されている蓋部５３０のボトル５２０から離間する方向への動きも規制されるので、蓋部５３０とボトル５２０とのネジ嵌合等が緩むことがない。このため、ボトル５２０内のミルク等が漏れ出すことを未然に防ぐことができる。
また、利用者は、取っ手５７０ａをボトル５２０に沿って移動させることで、取っ手側凸部５７６ａとボトル側窪み５２１との係止又は係止解除の動作を行うことができるので、より操作し易い飲料容器５００となる。
また、本実施の形態では、ボトル側窪み５２１をボトル５２０の底面側に形成しているので、ボトル側窪み５２１が形成し易い。このため、製造コストを抑えることができる。なお、本実施の形態においても、係止手段である取っ手側凸部５７６ａとボトル側窪み５２１の関係が、揺動軸である連結軸５０１近傍に配置されるよう構成してもよい。
【００５４】
本発明は、上述の各実施の形態に限定されない。例えば、各実施の形態では両側に取っ手が配置された構成とされていたが、取っ手が一方向のみに設けられた所謂片手カップ構成とされていてもよい。また、飲み口は上述したストローや人工乳首以外にも、吸い口（スパウト）状の飲み口や、コップ状の飲み口が取り付けられる水筒状の形態とされていてもよい。上述の各実施の形態は、相互に組み合わせて構成するようにしてもよい。
【図面の簡単な説明】
【００５５】
【図１】本発明の第１の実施の形態に係る飲料容器の主な構成を示す概略図である。
【図２】取っ手の収納状態を示す概略図である。
【図３】図１の矢印Ａ部の概略拡大断面図である。
【図４】支軸部と取っ手装着部等の関係を示す概略斜視図である。
【図５】（ａ）は、本発明の第２の実施の形態にかかる飲料容器の主な構成を示す概略図であり、（ｂ）は、（ａ）の部分拡大説明図である。
【図６】（ａ）は、本発明の第３の実施の形態に係る飲料容器の主な構成を示す概略図であり、（ｂ）は、（ａ）のＡ−Ａ’線概略部分拡大断面図である。
【図７】本発明の第４の実施の形態に係る飲料容器を示す概略図である。
【図８】（ａ）は、本発明の第５の実施の形態に係る飲料容器を示す概略図であり、（ｂ）は、（ａ）のＢ−Ｂ’線概略部分拡大断面図である。
【符号の説明】
【００５６】
１００・・・飲料容器、１１０・・・フード、１２０・・・ボトル、１２０ａ・・・ボトル開口、１２１・・・ボトル凹部、１３０・・・蓋部、１４０・・・ストロー、１６０ａ・・・支軸部、１７０ａ・・・取っ手、１７５ａ・・・取っ手外面。
【図１】
2006008185.tif 000003
【図２】
2006008185.tif 000004
【図３】
2006008185.tif 000005
【図４】
2006008185.tif 000006
【図５】
2006008185.tif 000007
【図６】
2006008185.tif 000008
【図７】
2006008185.tif 000009
【図８】
2006008185.tif 000010